(57)【要約】【課題】新規タイトルの記録開始を素早く行うことができるようにする。【解決手段】記録開始時に動画像データの新規タイトルを作成するか否かを判断するタイトル作成判断手段と、前記タイトル作成判断手段の判断の結果に基いて、新規に作成するタイトルのビデオ・タイトル・セット(VTSI)領域を予約する領域予約手段と、前記領域予約手段の領域予約に続いて前記新規タイトルの記録を行う記録手段と、前記新規タイトルの記録終了を判断する記録終了判断手段と、前記記録終了判断手段により記録が終了したと判断されたら、直前のタイトルを終了する必要があるか否かを判断するタイトル終了判断手段と、前記判断の結果、タイトルを終了する必要がある場合にタイトル終了処理を実行するタイトル終了処理手段とを設け、記録開始時にタイトル終了処理が必要な場合に、管理ファイルの書き込みにより新規タイトルの記録開始が遅れてしまうのを防止できるようにする。【選択図】図１
2007323768.tif 000002
【特許請求の範囲】
【請求項１】
記録媒体に記録された動画像データをタイトルを単位として管理する記録装置であって、
前記動画像データの記録開始に応じて、新規タイトルを作成するか否かを判断するタイトル作成判断手段と、
前記タイトル作成判断手段の判断の結果に基いて、前記記録媒体上に、新規に作成するタイトルのビデオ・タイトル・セット情報(VTSI)領域を予約する領域予約手段と、
前記記録媒体上の前記領域予約手段の領域予約に続いて前記新規タイトルの画像データを記録する記録手段と、
前記記録手段による前記新規タイトルの画像データの記録終了を判断する記録終了判断手段と、
前記記録終了判断手段により前記新規タイトルの記録が終了したと判断されたら、直前のタイトルを終了する必要があるか否かを判断するタイトル終了判断手段と、
前記タイトル終了判断手段の判断の結果、前記直前のタイトルを終了する必要がある場合に、前記直前のタイトルに対してタイトル終了処理を実行するタイトル終了処理手段とを有することを特徴とする記録装置。
【請求項２】
前記タイトル終了判断手段は、前記ビデオ・タイトル・セット(VTSI)とそのバックアップがなく、ビデオ・タイトル・セットとして未完成の状態であるが、ビデオのアスペクト比またはMPEGコーデックの圧縮レートが異なる場合に直前のタイトルを終了する必要があると判断することを特徴とする請求項１に記載の記録装置。
【請求項３】
前記タイトル終了処理は、前記記録媒体前記タイトルに関する前記ビデオ・タイトル・セット情報の書き込み処理を含むことを特徴とする請求項１に記載の記録装置。
【請求項４】
一つのタイトル毎に管理される情報データと、前記タイトルの管理情報と前記管理情報のバックアップ情報とが、前記タイトルの管理情報、前記タイトルの情報データ及び前記管理情報のバックアップ情報の順に配置されるように、前記タイトルの情報データを記録媒体上に記録した後で、前記タイトルの管理情報と前記管理情報のバックアップ情報とを記録する記録装置であって、
前記一つのタイトルに引き続いて新たなタイトルの情報データを記録する際に、前記一つのタイトルの管理情報及び管理情報のバックアップ情報を記録することなく前記新たなタイトルの情報データの記録を開始するとともに、前記新たな情報データの記録が終了したことに応じて、前記一つのタイトルの管理情報を記録することを特徴とする記録装置。
【請求項５】
前記記録媒体は光ディスクであり、前記光ディスク上に一つのタイトルを記録終了した後に新たなタイトルを記録する場合に、前記光ディスク上のファイルの配置として、記録終了したタイトルの動画ストリームファイルと新規記録する動画ストリームファイルとの間に、記録終了したタイトルの管理ファイルのバックアップファイルと新規記録するタイトルの管理ファイルが書き込み可能な固定サイズの領域を予約することを特徴とする請求項４に記載の記録装置。
【請求項６】
前記光ディスクに記録するフォーマットは、DVD-Video規格であることを特徴とする請求項５に記載の記録装置。
【請求項７】
記録媒体に記録された動画像データをタイトルを単位として管理する記録方法であって、
前記動画像データの記録開始に応じて、新規タイトルを作成するか否かを判断するタイトル作成判断工程と、
前記タイトル作成判断工程の判断の結果に基いて、前記記録媒体上に、新規に作成するタイトルのビデオ・タイトル・セット情報(VTSI)領域を予約する領域予約工程と、
前記記録媒体上の前記領域予約工程の領域予約に続いて前記新規タイトルの画像データを記録する記録工程と、前記記録工程による前記新規タイトルの画像データの記録終了を判断する記録終了判断工程と、
前記記録終了判断工程において前記新規タイトルの記録が終了したと判断されたら、直前のタイトルを終了する必要があるか否かを判断するタイトル終了判断工程と、
前記タイトル終了判断工程の判断の結果、前記直前のタイトルを終了する必要がある場合に、前記直前のタイトルに対してタイトル終了処理を実行するタイトル終了処理工程とを有することを特徴とする記録方法。
【請求項８】
記録媒体に記録された動画像データをタイトルを単位として管理する記録方法であって、
前記動画像データの記録開始に応じて、新規タイトルを作成するか否かを判断するタイトル作成判断工程と、
前記タイトル作成判断工程の判断の結果に基いて、前記記録媒体上に、新規に作成するタイトルのビデオ・タイトル・セット情報(VTSI)領域を予約する領域予約工程と、
前記記録媒体上の前記領域予約工程の領域予約に続いて前記新規タイトルの画像データを記録する記録工程と、
前記記録工程による前記新規タイトルの画像データの記録終了を判断する記録終了判断工程と、
前記記録終了判断工程において前記新規タイトルの記録が終了したと判断されたら、直前のタイトルを終了する必要があるか否かを判断するタイトル終了判断工程と、
前記タイトル終了判断工程の判断の結果、前記直前のタイトルを終了する必要がある場合に、前記直前のタイトルに対してタイトル終了処理を実行するタイトル終了処理工程とを有する記録方法をコンピュータに実行させることを特徴とするプログラム。
【請求項９】
請求項８に記載のプログラムを記録したことを特徴とするコンピュータ読み取り可能な記録媒体。
【発明の詳細な説明】
【技術分野】
【０００１】
本発明は記録装置及び記録方法に関し、特に、光ディスク上にDVD-Video規格で動画データを記録するために用いて好適な技術に関する。
【背景技術】
【０００２】
従来、ＤＶＤなどのディスク媒体に対し、動画データや静止画データを記録するビデオカメラが知られている。ＤＶＤに対して動画データを記録する場合、ＤＶＤビデオ規格、或いはＤＶＤビデオレコーディング（ＶＲ）規格に従って記録する。ＤＶＤビデオ規格は、市販のＤＶＤビデオディスクと互換性が高く、一般のＤＶＤビデオプレーヤで再生することができる。そのため、ビデオカメラにおいて、ＤＶＤビデオ規格に従って動画像データを記録することが実現されてきている。
【０００３】
ＤＶＤビデオ規格においては、動画像の記録データはVTS(Video Title Set：１つ以上の映像タイトルの集まり)を単位として管理するようにしており、この規格に従ってDVD-RやDVD-RWなどの記録媒体に記録される。
【０００４】
１つのディスク上において、VTSは最大で９９個まで作成することができる。このVTSは、記録媒体上にVTSI(Video Title Set Information)、VTSM＿VOBS(Video Object Set for VTSM)、VTSTT＿VOBS(Video Object Set for VTS Title)、VTSI＿BUP(Backup of VTSI)の順で記録される。DVDビデオ規格においてはこの順番を守る必要がある。
【０００５】
VTSTT＿VOBSには、動画像データであるMPEG2データが記録される。そして、VTSIにはこの動画像データを管理する情報が記録される。管理する情報としては、例えば、動画像データの記録位置情報などがある。VTSM＿VOBSにはタイトルメニューが記録される。VTSM＿VOBSはオプションであり、省略することが可能である。VTSI＿BUPは、VTSIのバックアップデータである。このように、ＤＶＤビデオ規格に従って動画像データを記録するビデオカメラが知られている（例えば、特許文献１参照）。
【０００６】
また、ＤＶＤディスクには、追記型ディスクであるＤＶＤ−Ｒと、書き替え可能なディスクであるＤＶＤ−ＲＷやＤＶＤ−ＲＡＭなどがある。このうち、ＤＶＤ−ＲＷは、ＤＶＤビデオ規格とＤＶＤ−ＶＲ規格の両方に対応しており、初期化する際に、何れかの規格を選ぶことになる。
【０００７】
図４は、ＤＶＤ−ＲＷのブランクディスクをＤＶＤビデオ規格に従って初期化する場合の処理を示すフローチャートである。まず、ステップＳ４０１にて、ＤＶＤビデオ規格におけるボリューム情報、ファイルシステム情報、ビデオマネージャーに関する情報を記録するために、ビデオマネージャー情報の領域を予約することで初期化処理を終了する。
【０００８】
図５は、初期化終了後の記録シーケンスを示すフローチャートである。
まず、ステップＳ５０１において、ビデオ・タイトル・セットの音声情報、副映像情報、対応言語、VIDEO情報を含むVTSIを記録するために、領域を予約する。次に、ステップＳ５０２において、前記VTSIの予約領域の後に動画データを記録していく。
【０００９】
次に、ステップＳ５０３で記録終了要求があるか否かを判断する。この判断の結果、記録終了要求がない場合はステップＳ５０２に戻り、動画データの記録を継続する。一方、ステップＳ５０３の判断の結果、記録終了要求がある場合はステップＳ５０４に移行し、それまでに記録された動画データに関する情報をビデオ・タイトル・セットの情報として、バックアップVTSIに書き込む処理を行う。
【００１０】
その後、ステップＳ５０５の処理に移行し、先に予約されているVTSIの予約領域に、VTSIを書き込む。この時に書き込むVTSIは、バックアップとして書かれたものと同一である。ステップＳ５０５でVTSIの書き込みが終了した時点で、記録の処理を終了する。記録を再度開始する場合は、図５のステップＳ５０１から前述の処理を再度実行することになる。
【００１１】
【特許文献１】特開２００３−３０８６７５号公報
【発明の開示】
【発明が解決しようとする課題】
【００１２】
前述のように、ＤＶＤビデオ規格では、一枚のディスクに記録できるＶＴＳは９９までと決められている。そのため、ビデオカメラのように記録時間の短いストリームを記録するようなシステムにおいては、一つのシーンの記録終了時にタイトルを終了せずに、静止画記録時やアスペクト比が変更になった場合などに動画像データのタイトルを終了することが考えられる。
【００１３】
このようにすると、次に記録するデータが静止画データである場合や、アスペクト比が異なっている画像データである場合には、タイトル終了に伴ってそのタイトルに関するVTSIを記録した後でなければ次の画像データの記録を開始することができなかった。このため、画像記録操作に対する応答性が悪くなってしまい、次の画像データの記録開始タイミングが遅延してしまうという問題があった。
【００１４】
本発明は前述の問題点にかんがみ、新規タイトルの記録開始を素早く行うことができるようにすることを目的としている。
【課題を解決するための手段】
【００１５】
本発明の記録装置は、記録媒体に記録された動画像データをタイトルを単位として管理する記録装置であって、前記動画像データの記録開始に応じて、新規タイトルを作成するか否かを判断するタイトル作成判断手段と、前記タイトル作成判断手段の判断の結果に基いて、前記記録媒体上に、新規に作成するタイトルのビデオ・タイトル・セット情報(VTSI)領域を予約する領域予約手段と、前記記録媒体上の前記領域予約手段の領域予約に続いて前記新規タイトルの画像データを記録する記録手段と、前記記録手段による前記新規タイトルの画像データの記録終了を判断する記録終了判断手段と、前記記録終了判断手段により前記新規タイトルの記録が終了したと判断されたら、直前のタイトルを終了する必要があるか否かを判断するタイトル終了判断手段と、前記タイトル終了判断手段の判断の結果、前記直前のタイトルを終了する必要がある場合に、前記直前のタイトルに対してタイトル終了処理を実行するタイトル終了処理手段とを有することを特徴とする。
また、本発明の記録装置の他の特徴とするところは、一つのタイトル毎に管理される情報データと、前記タイトルの管理情報と前記管理情報のバックアップ情報とが、前記タイトルの管理情報、前記タイトルの情報データ及び前記管理情報のバックアップ情報の順に配置されるように、前記タイトルの情報データを記録媒体上に記録した後で、前記タイトルの管理情報と前記管理情報のバックアップ情報とを記録する記録装置であって、前記一つのタイトルに引き続いて新たなタイトルの情報データを記録する際に、前記一つのタイトルの管理情報及び管理情報のバックアップ情報を記録することなく前記新たなタイトルの情報データの記録を開始するとともに、前記新たな情報データの記録が終了したことに応じて、前記一つのタイトルの管理情報を記録することを特徴とする。
【００１６】
本発明の記録方法は、記録媒体に記録された動画像データをタイトルを単位として管理する記録方法であって、前記動画像データの記録開始に応じて、新規タイトルを作成するか否かを判断するタイトル作成判断工程と、前記タイトル作成判断工程の判断の結果に基いて、前記記録媒体上に、新規に作成するタイトルのビデオ・タイトル・セット情報(VTSI)領域を予約する領域予約工程と、前記記録媒体上の前記領域予約工程の領域予約に続いて前記新規タイトルの画像データを記録する記録工程と、前記記録工程による前記新規タイトルの画像データの記録終了を判断する記録終了判断工程と、前記記録終了判断工程において前記新規タイトルの記録が終了したと判断されたら、直前のタイトルを終了する必要があるか否かを判断するタイトル終了判断工程と、前記タイトル終了判断工程の判断の結果、前記直前のタイトルを終了する必要がある場合に、前記直前のタイトルに対してタイトル終了処理を実行するタイトル終了処理工程とを有することを特徴とする。
【００１７】
本発明のプログラムは、記録媒体に記録された動画像データをタイトルを単位として管理する記録方法であって、前記動画像データの記録開始に応じて、新規タイトルを作成するか否かを判断するタイトル作成判断工程と、前記タイトル作成判断工程の判断の結果に基いて、前記記録媒体上に、新規に作成するタイトルのビデオ・タイトル・セット情報(VTSI)領域を予約する領域予約工程と、前記記録媒体上の前記領域予約工程の領域予約に続いて前記新規タイトルの画像データを記録する記録工程と、前記記録工程による前記新規タイトルの画像データの記録終了を判断する記録終了判断工程と、前記記録終了判断工程において前記新規タイトルの記録が終了したと判断されたら、直前のタイトルを終了する必要があるか否かを判断するタイトル終了判断工程と、前記タイトル終了判断工程の判断の結果、前記直前のタイトルを終了する必要がある場合に、前記直前のタイトルに対してタイトル終了処理を実行するタイトル終了処理工程とを有する記録方法をコンピュータに実行させることを特徴とする。
【発明の効果】
【００１８】
本発明によれば、新規タイトルの記録開始を素早く行うことが可能となり、記録を行うまでに蓄積すべきバッファのサイズを小さくすることができる。また、ユーザ指示から記録開始までの時間を短縮できるので、画像記録操作に対する応答性を向上することができる。
【発明を実施するための最良の形態】
【００１９】
（第１の実施形態）
図１は本発明の実施形態を示し、記録装置の全体構成を示す図である。
図１において、１はCCD（図示せず）により変換された電気信号（映像信号）を処理し、画像データに変換するカメラ信号処理回路である。２は画像データをMPEG方式の規格に沿って画像圧縮するMPEGコーデックである。
【００２０】
３は画像圧縮されたデータを蓄積し、ディスクへの書き込みタイミングで読み出されるバッファである。４はディスクドライブとのインターフェイスとして機能するATA（AT Attachment） IFである。５はMPEGコーデック２により画像圧縮されたストリームのナビゲーション情報を発生させるナビゲーション情報処理回路である。
【００２１】
６は画像圧縮されたストリームデータを所定単位にエラー訂正符号化を行うＥＣＣ（Error Correcting Code：誤り訂正符号回路）である。７はデジタルデータを、予め設定された８−１６変調処理を行う変調回路である。８は入力された変調信号により光ビームを発生して、ＤＶＤディスク１０に対してデータの読み書きを行うピックアップである。
【００２２】
前述の構成におけるタイトルに記録と、タイトルの管理情報であるVTSIの記録の一例を以下に記述する。
タイトルの記録動作は、図１のCCDからの入力をカメラ信号処理回路１において信号処理した後で画像データに変換し、MPEGコーデック２に入力する。MPEGコーデック２は、画像圧縮を行い、ストリームとしてバッファ３に出力すると同時にストリームの画像情報をナビゲーション情報処理回路５に出力する。
【００２３】
バッファ３に蓄積されたストリームデータは、ディスクへの書き込みタイミングに応じて、ATAIF４経由でＥＣＣ６に転送される。ＥＣＣ６では、受け取ったストリームを所定単位にエラー訂正符号化を行い、変調回路７に出力する。
【００２４】
変調回路７においては、「８−１６（Eight to Fourteen bit Modulation PLUS）変調」を行い、ピックアップ８に出力する。ピックアップ８は、入力した変調信号に応じて、光ビームを発生し、ディスク上にデータを書き込む。以上のような動作によりタイトルの記録を行う。
【００２５】
また、タイトルの音声情報、副映像情報、対応言語、VIDEO情報を含むVTSIとそのバックアップであるVTSI BUPの記録は、カメラ信号処理回路１からの画像MPEGコーデック２にて画像圧縮を行う。そして、その画像情報をナビゲーション情報処理回路５に出力する。ナビゲーション情報処理回路５は、ストリームの画像情報をタイトルの記録が終了するまで保持し、タイトル終了後に、VTSIの情報として、ATAIF４を通して、ＥＣＣ６に出力する。ＥＣＣ６からピックアップ８までの処理は、タイトルと同じ処理を行う。
【００２６】
前述の構成において、ブランクディスクを挿入された場合は、従来と同様に、図４のシーケンスを行う。
図４は、ブランクディスクが挿入された際に行われる初期化処理を説明するフローチャートである。
ブランクディスクが挿入されて初期化処理が開始されると、まず、ステップＳ４０１において所定の領域を予約する。これは、DVDビデオ規格におけるボリューム情報、ファイルシステム情報、ビデオマネージャーに関する情報を記録するために行う処理である。初期化処理は、前述した領域を予約することで終了する。その後に行われる処理は、図３のフローチャートに示す。
【００２７】
図３のフローチャートに示したように、ユーザ操作により、記録開始の指示を受けると、まず、ステップＳ３０１において、新規タイトルを作成するか否かを判断する。新規タイトルを作成する条件は、以下（１）〜（３）のいずれかが成り立ったときである。
【００２８】
（１）ブランクディスクで、タイトルが記録されていない場合。
（２）音声情報、副映像情報、対応言語、VIDEO情報を含むVTSIとそのバックアップであるVTSI BUP及びタイトルが記録され、ビデオ・タイトル・セットとして完成している場合。
（３）VTSIとそのバックアップであるVTSI BUPがなく、ビデオ・タイトル・セットとして未完成の状態であるが、ビデオのアスペクト比やMPEGコーデックの圧縮レートなどが異なる場合。
【００２９】
前述した３つの条件で、新規タイトルを作成する必要があるか否かを判断し、新規タイトルを作成する必要がある場合は、ステップＳ３０２に進み、新規タイトルを作成する必要がない場合は、ステップＳ３０８に進む。
【００３０】
ステップＳ３０２においては、新規タイトルのためのVTSIと、直前に終了すべきタイトルがある場合はVTSIのバックアップの記録領域を予約する処理を行う。次に、ステップＳ３０３に進み、新規タイトルの記録を行う。
【００３１】
その後、ステップＳ３０４において、ユーザ操作から記録終了の指示があるかどうかを検出する。この検出の結果、終了の指示があった場合は、ステップＳ３０５に進む。また、記録終了の指示がない場合は、ステップＳ３０３に戻り、終了の指示があるまで記録動作を行う。
【００３２】
ステップＳ３０５では、直前のタイトルを終了する必要があるか判断する。終了する必要がある条件は、ステップＳ３０１の説明で例示した条件（３）である。ステップＳ３０５の判断の結果、直前のタイトルを終了する必要がない場合は、記録シーケンスを終了する。
【００３３】
一方、ステップＳ３０５の判断の結果、直前のタイトルを終了する必要がある場合は、ステップＳ３０６に進む。ステップＳ３０６では、直前のタイトルに関する音声情報、副映像情報、対応言語、VIDEO情報を含むVTSIをディスク上に記録する。
【００３４】
記録した後にステップＳ３０７に進み、VTSIのバックアップであるVTSI BUPのみをディスク上に記録する。そして、ステップＳ３０７の記録処理を実行した後に本実施形態の記録シーケンスを終了する。
【００３５】
また、ユーザ操作により、記録開始の指示を受けて、記録シーケンスに入り、ステップＳ３０１で新規タイトルを作成しない場合は、前記条件（１）〜（３）でない場合、つまり前記タイトルを終了する必要がなく現在記録中のタイトルに追記する場合である。これらの場合は、ステップＳ３０８に進み、既存タイトルに連続してストリームを追記する。そして、ステップＳ３０９において、ユーザからの記録停止の指示を受けると記録シーケンスを終了し、指示がない場合はステップＳ３０８に戻り、終了の指示があるまで記録動作を行う。
【００３６】
図２は、本実施形態においてディスク上のピックアップ８の移動状態を説明する図である。
図２において、内周側にDVDビデオ規格におけるボリューム情報、ファイルシステム情報、ビデオマネージャーに関する情報を記録するための領域（VMG）が予約されている。そして、最初のストリームであるタイトル（Title１）が記録されている状態でピックアップ８は記録開始時の位置にいる。すなわち、図２は、直前のタイトル（Title１）が記録されている状態から新規タイトル(Title2)を作成する場合のピックアップ８の移動を説明している。
【００３７】
図２のステップ２０１の動作は、図３で説明したフローチャートのステップＳ３０２の新規タイトルのためのVTSIと、VTSIのバックアップの記録領域を予約して、次の新規タイトル書くためのシークに相当するステップである。
【００３８】
次のステップ２０２は、新規タイトル(Title2)を記録する処理を示している。次のステップ２０３は、新規タイトル(Title2)の記録処理を終了し、前記記録した新規タイトル(Title2)の終了処理を行うために、前記タイトルのVTSIの予約領域の先頭まで戻るシークを示している。
【００３９】
次のステップ２０４は、前記タイトルのVTSIの記録を示している。次のステップ２０５は、前記タイトルのVTSI BUPを記録すために予約しているVTSI BUPの先頭までピックアップ８を移動させるシークを示している。次のステップ２０６は、前記タイトルのVTSI BUPをＤＶＤディスク１０に記録する処理を示している。
【００４０】
（本発明に係る他の実施形態）
前述した本発明の実施形態における記録装置を構成する各手段、並びに記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４１】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００４２】
なお、本発明は、前述した実施形態の機能を実現するソフトウェアのプログラム（実施形態では図３、図４及び図５に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ、ＤＶＤ−Ｒ）なども含む。
【００４６】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５１】
【図１】本発明の実施形態を示し、記録装置の全体構成を説明するブロック図である。
【図２】本実施形態においてディスク上のピックアップの移動状態を説明する図である。
【図３】本実施形態の記録動作の手順を説明するフローチャートである。
【図４】ブランクディスク挿入時に行われる初期化処理を説明するフローチャートである。
【図５】従来の記録装置で行われる記録動作手順の一例を説明するフローチャートである。
【符号の説明】
【００５２】
１  カメラ信号処理回路
２  MPEGコーデック
３  バッファ
４  ATAIF
５  ナビゲーション情報処理回路
６  ＥＣＣ
７  変調回路
８  ピックアップ
【図１】
2007323768.tif 000003
【図２】
2007323768.tif 000004
【図３】
2007323768.tif 000005
【図４】
2007323768.tif 000006
【図５】
2007323768.tif 000007